【事件の表示】
　特願２００２−２９６０８１「液晶プロジェクタにおける冷却ファン制御方法」拒絶査定不服審判事件〔平成１６年　４月３０日出願公開、特開２００４−１３３１０６〕について、次のとおり審決する。
【結　論】
　本件審判の請求は、成り立たない。
【理　由】
１　手続の経緯 
　本願は、平成１４年１０月９日の出願であって、平成１９年３月５日付けで拒絶査定がなされ、これに対して平成１９年４月６日に拒絶査定不服審判の請求がなされるとともに、同日付けで手続補正がなされ、その後、当審により平成２０年４月１８日付けで平成１９年４月６日の手続補正を却下する決定がなされるとともに、同日付けで拒絶理由が通知されたところ、平成２０年６月１８日付けで手続補正がなされたものである。
　
２　当審拒絶理由
　当審が通知した拒絶理由の概要は、
　請求項１及び２に係る発明は、その特許出願前に日本国内又は外国において頒布された下記の刊行物に記載された発明に基づいて、その特許出願前にその発明の属する技術の分野における通常の知識を有する者が容易に発明をすることができたものであるから、特許法第２９条第２項の規定により特許を受けることができない、というものである。
　　　　　　　　　　　　　　記　
　引用刊行物
（１）特開平１１−１０９５０４号公報
（２）特開平　８−　６９０５４号公報
　　
３　本願発明
　請求項１に係る発明（以下「本願発明」という。）は、平成２０年６月１８日付け手続補正によって補正された本願明細書及び図面の記載からみて、請求項１に記載された事項により特定されるとおりの以下のものと認める。
「【請求項１】　電源が入れられた状態では、少なくとも温度センサと冷却ファン駆動回路に電源が供給され、ランプ点灯指令が入力された状態では、ランプが点灯すると共に、全ての回路に電源が供給される液晶プロジェクタにおける冷却ファン制御方法において、
電源は入れられているがランプ点灯指令が入力されていない状態、且つ、冷却ファンが停止している状態であるスタンバイ状態において、温度センサの検出温度が許容値を越えているときに、冷却ファンを駆動させるようにしたことを特徴とする液晶プロジェクタにおける冷却ファン制御方法。」
　　
４　引用刊行物に記載された発明
　当審が通知した拒絶理由に引用され、本願出願前に頒布された刊行物である特開平１１−１０９５０４号公報（以下「引用刊行物１」という。）には、「投影表示装置」の発明に関して、以下の事項が記載されている。
　
＜記載事項１＞
「【０００１】
【発明の属する技術分野】本発明は、液晶プロジェクター装置等の投影表示装置に関するものである。」
＜記載事項２＞
「【００１１】次に、本実施例のプロジェクター装置を作動するための電気回路のブロック図を図３により説明する。同図において、４１はマイコン、４２は光源ランプで、図１のランプ２１に相当し、該マイコン４１の光源スイッチによりオン・オフ制御される。４３は液晶駆動回路で、該マイコン４１からの信号で制御され、液晶表示部４４（図１の液晶パネル部２６ａ，２６ｂ，２６ｃに相当する）を作動させる。４５はモータ４６の駆動回路で、該マイコン４１からの信号で制御される。４７は投射レンズで、図１の投射レンズ３３に相当し、該モータ４６により前後動する。４８は該投射レンズ４７の投射状態の位置を検出する位置検出部で、その検出信号は該マイコン４１に入力されるようになっている。」
＜記載事項３＞
「【００１２】４９は冷却用ファンで、図１のファン３４，３５に相当し、その作動を該マイコン４１により制御される。５０は装置本体内の温度を検出する温度センサを有する温度検知部で、その検出信号でファン４９の作動を制御し、また、投射レンズ４７の駆動回路５２を制御する。５１は該投射レンズ４７の投射状態以外の位置を検出する位置検出部で、その検出信号は該マイコン４１に入力されるようになっている。５３は光源スイッチで、駆動回路５２に接続されている。」
＜記載事項４＞
「【００１３】以上の作動のためのブロック回路の動作を図４のフローチャートにより説明する。まず、ステップ１では収納部駆動回路がオンとなる。ステップ２では駆動回路４５が作動し、ステップ３へ進む。ステップ３では投射レンズ４７が収納部から投射位置に移動し、ステップ４へ進む。ステップ４では位置検出部４８で投射レンズ４７が投射位置に移動したか否かの検出を行い、投射位置に移動していなければステップ２へ戻り、移動していればステップ５へ進む。」
＜記載事項５＞
「【００１４】ステップ５では温度検知部５０で装置内の温度検知を行い、所定の温度以下ならば、ステップ８に進み、所定の温度以上になっていれば、ステップ６へ進み、ステップ６では冷却ファン４５が一定時間作動して停止し、ステップ７へ進む。ステップ７ではマイコン４１の制御により光源ランプ４２が点灯し、ステップ８へ進む。ステップ８では液晶駆動回路４３が作動し、ステップ９へ進む。ステップ９では液晶表示部４４で液晶表示がされ、ステップ１０で投射レンズ４７により液晶表示の映像が投影される。ステップ１１で、映像の投影動作が終了すると、ステップ１２へ進む。」
　　
＜記載事項６＞
「【００１６】
【発明の効果】以上説明したように、請求項１に示す本発明は投射時と非投射時とで投射合成光学系と照明系との相対位置が異なる投影表示装置において、非投射時は該投射合成光学系の装置内に収納された状態での位置検出部と、光源スイッチオフの制御手段と、光源及び主要部の冷却ファンとを有し、該冷却ファンによる光源及び主要部の冷却は投射状態で終了し、該位置検出部で該投射合成光学系の収納状態を検出すると、該制御手段により光源スイッチがオフにされることにより、装置を小型化でき、かつ装置本体への熱影響を抑えるとともに無駄な電力消費を避けることができる。請求項２に示す本発明は投射状態以外の位置検出を行い、光源スイッチオンの制御手段を有し、該位置検出部で投射状態の位置を検出すると、光源点灯以前に冷却ファンが一定時間作動していることにより、装置本体への熱影響を抑えるとともに無駄な電力消費を避けることができる。請求項３に示す本発明は検知手段として温度センサを有し、一定温度条件下で該冷却ファンのスイッチのオン・オフのタイミングを最適化することにより、製品本体への熱影響を少なく抑えることができる。」
　
　したがって、上記記載事項１〜６、及び図面に基づけば、引用刊行物１には
「液晶プロジェクター装置の制御方法において、
収納部駆動回路がオンとなるステップ１、
駆動回路４５が作動するステップ２、
投射レンズ４７が収納部から投射位置に移動するステップ３、
位置検出部４８で投射レンズ４７が投射位置に移動したか否かの検出をするステップ４、
温度検知部５０で装置内の温度検知を行うステップ５、
所定の温度以上になっていれば、冷却ファン４５が一定時間作動して停止するステップ６、
マイコン４１の制御により光源ランプ４２が点灯するステップ７、
を有する液晶プロジェクター装置の制御方法」の発明（以下「引用発明」という。）が記載されている。
　
５ 対比
　本願発明と引用発明とを比較する。
　
（１）引用発明の「液晶プロジェクター装置」、「冷却ファン４５」は、本願発明の「液晶プロジェクタ」、「冷却ファン」に相当する。
　また、引用発明の対象である「液晶プロジェクター装置の制御方法」には、「所定の温度以上になっていれば、冷却ファン４５が一定時間作動して停止するステップ６」が含まれるから、引用発明の「制御方法」には、本願発明でいう「冷却ファン制御方法」が内在されていることは明らかである。
　
（２）引用発明の「ステップ１」から「ステップ７」において、液晶プロジェクター装置に「電源が入れられた状態である」ことは明らかである。
　
（３）引用発明の「温度検知部５０で装置内の温度検知を行うステップ５」においては、本願発明の「温度センサ」に相当する「温度検知部５０」に電源が供給されることは自明である。
　また、引用発明の「冷却ファン４５が一定時間作動して停止するステップ６」においても、冷却ファン４５を駆動する回路に電源が供給されることは自明である。
　
（４）引用発明の「マイコン４１の制御により光源ランプ４２が点灯するステップ７」において、マイコン４１から光源ランプ４２に本願発明でいう「ランプ点灯指令が入力され」ることは明らかである。
　
（５）
ア　引用発明において、ステップ５以前の状態においては、上記「（２）」の項で述べたことから、液晶プロジェクター装置に電源が入れられた状態である。また、上記「（４）」の項で述べたことから、ステップ５以前の状態においては、マイコン４１から光源ランプ４２に本願発明でいう「ランプ点灯指令が入力されていない」ことは明らかである。
イ　引用発明において、「温度検知部５０で装置内の温度検知を行うステップ５」の結果により「所定の温度以上になっていれば、冷却ファン４５が一定時間作動して停止するステップ６」が実施されるから、ステップ５以前の状態においては、冷却ファン４５が停止していることは明らかである。
ウ　引用発明のステップ６における「所定の温度以上になっていれば」、「冷却ファン４５が一定時間作動して停止する」は、本願発明の「検出温度が許容値を越えているとき」、「冷却ファンを駆動させるようにした」に相当するから、引用発明のステップ６の前のステップ５においては、本願発明でいう「温度センサの検出温度が許容値を越えているときに、冷却ファンを駆動させるように」することが実施されていることは明らかである。
エ　以上、アないしウによれば、引用発明のステップ５以前の状態においては、本願発明の「電源は入れられているがランプ点灯指令が入力されていない状態、且つ、冷却ファンが停止している状態であるスタンバイ状態において、温度センサの検出温度が許容値を越えているときに、冷却ファンを駆動させるようにした」ことが実施されていることは明らかであり、引用発明におけるステップ５以前の状態は、本願発明における「スタンバイ状態」を含むことは明らかである。
　
　したがって、本願発明と引用発明の両者は、
「電源が入れられた状態では、少なくとも温度センサと冷却ファン駆動回路に電源が供給され、ランプ点灯指令が入力された状態では、ランプが点灯する液晶プロジェクタにおける冷却ファン制御方法において、
電源は入れられているがランプ点灯指令が入力されていない状態、且つ、冷却ファンが停止している状態であるスタンバイ状態において、温度センサの検出温度が許容値を越えているときに、冷却ファンを駆動させるようにした液晶プロジェクタにおける冷却ファン制御方法。」の点で一致し、以下の点で相違する。
　
[相違点１]
　液晶プロジェクタについて、本願発明は、ランプ点灯指令が入力された状態では、ランプが点灯すると共に、全ての回路に電源が供給されるのに対して、引用発明は、マイコン４１の制御により光源ランプ４２が点灯するものの、全ての回路に電源が供給される点について限定されていない点。
　　
６　当審の判断
　引用発明においても、液晶プロジェクタから所期の画像を投影するために、ステップ７以降において光源ランプ４２が点灯する電源だけでなく、液晶プロジェクタに備えられた回路の全てに電源が供給されることは当然のことであり、また、特開２００１−３０５６５９号公報（段落【０００１】、【００１５】）に示されるように従来周知の事項でもある。
　してみると、相違点１に係る本願発明の発明特定事項は、引用発明及び従来周知の事項に基づいて当業者が容易に想到し得たものである。
　　　
　そして、本願発明の効果は、引用刊行物１の記載から当業者が予測し得る範囲内のものである。
　　
７　まとめ
　
　本願発明は、引用刊行物１に記載された発明及び従来周知の事項に基づいて当業者が容易に発明をすることができたものであるから、特許法第２９条第２項により特許を受けることができない。
　
　よって、結論のとおり審決する。